(57)【要約】【課題】  静かで安定した動作を得られる運動器具を提供すること。【解決手段】  本発明は、フライホイール６と、当該フライホイール６を回転駆動するためのペダル４及びペダルクランク５と、ペダルクランク５の回転軸５ａを支えるベアリング８と、サドル２と、それらを支持する支持構造とを備え、前記ベアリング８の支持構造が、横方向から切欠形成された第１の溝を有する立設された第１のプレートＰ１と、前記第１のプレートＰ１に固定される第２のプレートＰ２と、を含み、前記第１の溝Ｋ１に挿入されたベアリング８（９）の円周状の外面を前記両プレートＰ１，Ｐ２によって挟み、当該各プレートＰ１，Ｐ２と前記ベアリング８（９）の外面とがそれぞれ１点又は２点にて接することで、当該ベアリング８（９）の外面を少なくとも３点以上にて固定し、その固定方向にゆとりを持たせた運動器具Ｔである。【選択図】図１
2019187943.tif 000002
【特許請求の範囲】
【請求項１】
フライホイールと、当該フライホイールを回転駆動するためのペダル及びペダルクランクと、ペダルクランクの回転軸を支えるベアリングと、サドルと、それらを支持する支持構造とを備えた運動器具であって、
前記ベアリングの支持構造が、
立設された第１のプレートと、
当該第１のプレートに横方向から切欠形成された第１の溝と、
前記第１のプレートに固定される第２のプレートと、
を含むものであり、
前記第１の溝に挿入されたベアリングの円周状の外面を前記第１のプレートと前記第２のプレートとによって挟み込み、当該各プレートと前記ベアリングの外面とがそれぞれ１点又は２点にて接することで、当該ベアリングの外面を少なくとも３点以上にて固定し、当該ベアリングの回転中心線が固定される方向にゆとりを持たせるようにしたことを特徴とする運動器具。
【請求項２】
前記第１の溝は、下方に向けて谷状に形成された斜面を有しており、前記ベアリングの外面が当該第１の溝の両側の斜面と接するものであり、
前記第２のプレートは、谷状に形成された斜面を有する第２の溝を有しており、前記ベアリングの外面が当該第２の溝の両側の斜面とも接するものであることを特徴とする請求項１に記載の運動器具。
【請求項３】
前記第１及び第２のプレートは、前記第１のプレートに対して前記第２のプレートを固定するためのネジを挿通するための透孔を有しており、
前記第１のプレートに形成された透孔の大きさは、前記第２のプレートに形成された透孔の大きさとは異なるものであることを特徴とする請求項１又は２に記載の運動器具。
【請求項４】
前記支持構造は、床面又は地面などの載置面と接する接地側フレームと、前記サドルが上端部に固定されるサドルフレームとを含むものであり、
前記第１のプレートは、２枚一組にて略平行に立設された状態でその下端部が前記接地側フレームに対して固定されており、当該第１のプレートの上端部は、前記サドルフレームの下端部に対して固定されているものであることを特徴とする請求項１ないし３の何れか一項に記載の運動器具。
【請求項５】
前記ベアリングは、外周面に合成樹脂製のベアリングケースが嵌合された外面を有しており、当該ベアリングケースの外面は、何れか一方の前記プレート側ほど外径が大きくなる円錐台形状の断面を有しているものであることを特徴とする請求項１ないし４の何れか一項に記載の運動器具。
【請求項６】
前記ベアリングは、外周面に合成樹脂製のベアリングケースが嵌合された外面を有しており、当該ベアリングケースの外面は、何れか一方の前記プレート側が円筒状であり、他方の前記プレート側ほど外径が大きくなるフランジ部を有しているものであることを特徴とする請求項１ないし４の何れか一項に記載の運動器具。
【請求項７】
前記フライホイールは、磁力を用いた負荷によってその回転が減速されるものであることを特徴とする請求項１ないし６の何れか一項に記載の運動器具。
【請求項８】
前記ペダルクランクは、前記フライホイールの回転軸を兼ねているものであることを特徴とする請求項１ないし７の何れか一項に記載の運動器具。
【請求項９】
前記ペダルクランクは、前記フライホイールの回転数を高めて駆動するための変速機構を構成するプーリーの回転軸を兼ねているものであることを特徴とする請求項１ないし８の何れか一項に記載の運動器具。
【請求項１０】
前記変速機構は、複数個のプーリーと、それらに掛け渡された複数本のベルトとから構成されており、前記第１のプレートは、前記ペダルクランクの回転軸を支えるベアリングとは異なる他のベアリングを支持することで前記変速機構を構成する他のプーリーを回転可能に保持しており、前記第１の溝は、当該他のベアリングが固定されている方向に向けて谷状に形成された斜面を有しており、前記ペダルクランクの回転軸を支えるベアリングの外面が当該第１の溝の両側の斜面と接するものであることを特徴とする請求項９に記載の運動器具。
【請求項１１】
前記第１の溝は、鉛直方向に向けて谷状に形成された斜面を有しており、前記ベアリングの外面が当該第１の溝の両側の斜面と接するものであり、
前記第２のプレートは、谷状に形成された斜面を有する第２の溝を有しており、前記ベアリングの外面が当該第２の溝の両側の斜面とも接するものであることを特徴とする請求項１ないし９の何れか一項に記載の運動器具。
【発明の詳細な説明】
【技術分野】
【０００１】
本発明は、フライホイールを回転駆動するためのペダル及びペダルクランクと、ペダルクランクの回転軸を支えるベアリングなどを有する運動器具に関するものであって、ベアリングの固定不良による異音の発生を防止できる運動器具に関するものである。
【背景技術】
【０００２】
従来、図６に示すように、フライホイール６０と、当該フライホイール６０を回転駆動するためのペダル及びペダルクランクと、ペダルクランクの回転軸を支えるベアリング８０と、サドルと、それらを支持するフレームを含む支持構造とを備えた運動器具として、前記ベアリング８０の支持構造が、当該ベアリング８０の回転中心線と直交する方向にて、前記フレームと溶接によって固定されることで立設されたプレートｐと、当該プレートｐに横方向から切欠形成された溝ｋと、前記プレートｐに固定される他のプレートｐ’と、を含むものが知られている。
そして、従来の運動器具においては、前記溝ｋに挿入されたベアリング８０の円周状の外面を前記両プレートｐ，ｐ’によって挟み込み、当該各プレートｐ，ｐ’と前記ベアリング８０の外面とがそれぞれ線又は面にて密着して接することで、当該ベアリング８０の外面をゆとりの無い不動の状態にて固定し、当該ベアリング８０の回転中心線が一方向に決められて固定されるようにしている。
即ち、溶接によって固定されることで立設され必ずしも正確に平行で上下左右の位置が揃った状態とはなっていない左右両プレートｐ，ｐ’と、前記ベアリング８０の回転中心線とが、それぞれ直交する向きに矯正されるように固定されるようにしている。従って、ベアリング８０に不適切な負荷が加えられることになる。
【０００３】
上記のように、前記プレートは、前記フレームと溶接によって強固に固定されると、その位置精度及び立設される角度の精度が低く、前記ベアリングの回転中心線の位置及び方向に狂い（ねじれ）が生じ、ベアリングに不適切な負荷が加えられることを避けることができていない。
このため、前記プレートを２枚並べて立設し、それらによって固定されたベアリングによってペダルクランクの回転軸を支えると、高速回転するフライホイール及びベアリングなどの挙動が不安定になり、大きな異音が発生する不具合が生じることがあるという問題がある。
また、上記のようなベアリングに不適切な負荷が加えられることに基づく不具合が生じると、運動器具の耐久性が低下することにも繋がり、好ましくない。
【０００４】
さらに、従来の運動器具においては、円筒状のベアリングの周囲を２枚のプレートによって挟み込んでいるだけであるため、ベアリングの周囲を締め付ける力が弱く、ベアリングの固定を確実かつ強固に行うことができていないという問題がある。
【０００５】
また、特許文献１、２に示す従来の運動器具においては、ベアリングを円形の透孔又は切欠部に嵌め込んで固定することを開示しているが、２個のベアリングの回転中心線を正確に一致させる手段、及び、ベアリングの固定を確実かつ強固に行う手段について開示していない。
【先行技術文献】
【特許文献】
【０００６】
【特許文献１】特開２００１−１７０２０６号公報
【特許文献２】特許第６２１７９５６号公報
【発明の概要】
【発明が解決しようとする課題】
【０００７】
そこで、本発明が解決しようとする課題は、従来の運動器具において実現できていない、２個のベアリングの回転中心線を正確に一致させる手段、及び、ベアリングの固定を確実かつ強固に行う手段を備えた運動器具を提供することにある。
本発明が解決しようとする課題は、立設された２枚のプレートの間隔に誤差がある場合であっても、確実かつ強固にベアリングを固定することができ、静かで安定した動作を得られる運動器具を提供することにある。
さらに、本発明は、ベアリング、ペダルクランク及び変速機構などをプレートに組み込み固定する作業をスムーズに行うことができる運動器具を提供することを目的とする。
【課題を解決するための手段】
【０００８】
（１）本発明は、「  フライホイールと、当該フライホイールを回転駆動するためのペダル及びペダルクランクと、ペダルクランクの回転軸を支えるベアリングと、サドルと、それらを支持する支持構造とを備えた運動器具であって、
前記ベアリングの支持構造が、立設された第１のプレートと、当該第１のプレートに横方向から切欠形成された第１の溝と、前記第１のプレートに固定される第２のプレートと、を含むものであり、
前記第１の溝に挿入されたベアリングの円周状の外面を前記第１のプレートと前記第２のプレートとによって挟み込み、当該各プレートと前記ベアリングの外面とがそれぞれ１点又は２点にて接することで、当該ベアリングの外面を少なくとも３点以上にて固定し、当該ベアリングの回転中心線が固定される方向にゆとりを持たせるようにした運動器具。」を最も主要な特徴とするものである。
なお、本願各請求項に記載の発明において、前記ベアリングは、当該ベアリングを保護するベアリングケースを備えたものであってもよい。
【０００９】
（２）本発明の運動器具は、前記第１の溝が、下方に向けて谷状に形成された斜面を有しており、前記ベアリングの外面が当該第１の溝の両側の斜面と接するものであり、前記第２のプレートが、谷状に形成された斜面を有する第２の溝を有しており、前記ベアリングの外面が当該第２の溝の両側の斜面とも接するものであってもよい。
（３）また、本発明の運動器具は、前記第１及び第２のプレートが、前記第１のプレートに対して前記第２のプレートを固定するためのネジを挿通するための透孔を有しており、前記第１のプレートに形成された透孔の大きさは、前記第２のプレートに形成された透孔の大きさとは異なるものであってもよい。
（４）本発明の運動器具は、前記支持構造が、床面又は地面などの載置面と接する接地側フレームと、前記サドルが上端部に固定されるサドルフレームとを含むものであり、前記第１のプレートは、２枚一組にて略平行に立設された状態でその下端部が前記接地側フレームに対して固定されており、当該第１のプレートの上端部が、前記サドルフレームの下端部に対して固定されているものであってもよい。
【００１０】
（５）さらに、本発明の運動器具は、前記ベアリングが、外周面に合成樹脂製のベアリングケースが嵌合された外面を有しており、当該ベアリングケースの外面が、何れか一方の前記プレート側ほど外径が大きくなる円錐台形状の断面を有しているものであってもよい。
（６）本発明の運動器具は、前記ベアリングが、外周面に合成樹脂製のベアリングケースが嵌合された外面を有しており、当該ベアリングケースの外面が、何れか一方の前記プレート側が円筒状であり、他方の前記プレート側ほど外径が大きくなるフランジ部を有しているものであってもよい。
（７）本発明の運動器具は、前記フライホイールが、磁力を用いた負荷によってその回転が減速されるものであってもよい。
【００１１】
（８）本発明の運動器具は、前記ペダルクランクが、前記フライホイールの回転軸を兼ねているものであってもよい。
（９）本発明の運動器具は、前記ペダルクランクが、前記フライホイールの回転数を高めて駆動するための変速機構を構成するプーリーの回転軸を兼ねているものであってもよい。
（１０）本発明の運動器具は、前記変速機構が、複数個のプーリーと、それらに掛け渡された複数本のベルトとから構成されており、前記第１のプレートは、前記ペダルクランクの回転軸を支えるベアリングとは異なる他のベアリングを支持することで前記変速機構を構成する他のプーリーを回転可能に保持しており、前記第１の溝は、当該他のベアリングが固定されている方向に向けて谷状に形成された斜面を有しており、前記ペダルクランクの回転軸を支えるベアリングの外面が当該第１の溝の両側の斜面と接するものであってもよい。
（１１）本発明の運動器具は、前記第１の溝が、鉛直方向に向けて谷状に形成された斜面を有しており、前記ベアリングの外面が当該第１の溝の両側の斜面と接するものであり、前記第２のプレートは、谷状に形成された斜面を有する第２の溝を有しており、前記ベアリングの外面が当該第２の溝の両側の斜面とも接するものであってもよい。
【発明の効果】
【００１２】
（１）上記構成の本発明の運動器具においては、第１のプレートと第２のプレートとによってベアリングの円周状の外面を限られた数の点にて接することで固定しているため、ベアリングの固定状態にゆとりが存在し、第１のプレートを立設する製造時においてその向き又は位置に若干の狂いが生じていた場合や、運動器具の動作中において第１のプレートに歪みが生じた場合であっても、当該ベアリングの回転中心線がそれらの狂いや歪みを吸収するように柔軟に変動する（ズレる）ことが可能となり、ベアリングに不適切な負荷が加えられることを効果的に防ぐことができる。
そのため、静かで安定した動作を得られる運動器具を提供することができ、また、運動器具の耐久性を向上させることもできる。
本発明の運動器具において、「ベアリングの回転中心線が固定される方向にゆとりを持たせる」とは、上記のとおりベアリングの支持構造における向き又は位置の狂いや歪みを吸収するように、ベアリングの回転中心線が柔軟に変動する（ズレる）ことが可能であって、ベアリングに不適切な負荷が加えられることを効果的に防ぐことができることを意味するものである。
【００１３】
さらに、上記構成の本発明の運動器具においては、第１のプレートと第２のプレートとによってベアリングの円周状の外面を固定しているため、製造や組み付け作業も容易であり、保守点検作業においても有利なものとすることができる。
【００１４】
（２）本発明の運動器具において、前記第１の溝が、下方に向けて谷状に形成された斜面を有しており、前記ベアリングの外面が当該第１の溝の両側の斜面と接するものであり、前記第２のプレートが、谷状に形成された斜面を有する第２の溝を有しており、前記ベアリングの外面が当該第２の溝の両側の斜面とも接するものであることにより、簡単かつ確実に各プレートとベアリングの外面とがそれぞれ２点にて接することで、当該ベアリングの外面を４点にて固定し、当該ベアリングの回転中心線が固定される方向にゆとりを持たせることができる。
（３）本発明の運動器具において、前記第１及び第２のプレートが、前記第１のプレートに対して前記第２のプレートを固定するためのネジを挿通するための透孔を有しており、前記第１のプレートに形成された透孔の大きさが、前記第２のプレートに形成された透孔の大きさとは異なるものであることにより、プレートを固定する際におけるネジ（ボルト）の位置を調整することができ、製造上の寸法誤差を解消してベアリングの外面を確実かつ強固に固定することが可能となる。
【００１５】
（４）本発明の運動器具において、前記支持構造が、床面又は地面などの載置面と接する接地側フレームと、前記サドルが上端部に固定されるサドルフレームとを含むものであり、前記第１のプレートが、２枚一組にて略平行に立設された状態でその下端部が前記接地側フレームに対して固定されており、当該第１のプレートの上端部が、前記サドルフレームの下端部に対して固定されているものであることにより、サドル及びペダルクランクなどの主要部品をシンプルな構造で支持することができ、製造も容易である。
（５）本発明の運動器具において、前記ベアリングが、外周面に合成樹脂製のベアリングケースが嵌合された外面を有している場合には、ベアリングの保護及びベアリングの振動を吸収して静音化を図ることができるばかりか、ベアリングをプレートによって固定する力を高めることができる。
さらに、当該ベアリングケースの外面が、何れか一方の前記プレート側ほど外径が大きくなる円錐台形状の断面を有しているものであることにより、ベアリングケースの外面の何れの部分を第１及び第２のプレートによって挟み込む場合であっても、ベアリングを確実かつ強固に保持することができる。
従って、ベアリングの回転中心線方向におけるプレート位置に変動や狂いが生じていても、ベアリングを簡単、確実かつ強固に保持することができる。
【００１６】
（６）本発明の運動器具において、前記ベアリングが、外周面に合成樹脂製のベアリングケースが嵌合された外面を有している場合には、ベアリングの保護及びベアリングの振動を吸収して静音化を図ることができるばかりか、ベアリングをプレートによって固定する力を高めることができる。
さらに、当該ベアリングケースの外面が、何れか一方の前記プレート側が円筒状であり、他方の前記プレート側ほど外径が大きくなるフランジ部を有しているものであることにより、ベアリングケースの外径が大きくなるフランジ部を第１及び第２のプレートによって挟み込むことにより、ベアリングを確実かつ強固に保持することができる。
従って、ベアリングの回転中心線方向におけるプレート位置に変動や狂いが生じていても、ベアリングを簡単、確実かつ強固に保持することができる。
（７）本発明の運動器具において、前記フライホイールが、磁力を用いた負荷によってその回転が減速されるものであることにより、製造及び負荷の変更が容易であり、振動や騒音の発生などを抑制することができる。
【００１７】
（８）本発明の運動器具において、前記ペダルクランクが、前記フライホイールの回転軸を兼ねているものであることにより、構造を簡潔でコンパクトなものとすることが可能となる。
（９）本発明の運動器具において、前記ペダルクランクが、前記フライホイールの回転数を高めて駆動するための変速機構を構成するプーリーの回転軸を兼ねているものであることにより、構造を簡潔でコンパクトなものとすることが可能となる。
さらに、フライホイールの回転数を高めることで、コンパクトな形態でありながら、大きな負荷を与えることも可能となる。
【００１８】
（１０）本発明の運動器具において、前記変速機構が、複数個のプーリーと、それらに掛け渡された複数本のベルトとから構成されており、前記第１のプレートが、前記ペダルクランクの回転軸を支えるベアリングとは異なる他のベアリングを支持することで前記変速機構を構成する他のプーリーを回転可能に保持しており、前記第１の溝が、当該他のベアリングが固定されている方向に向けて谷状に形成された斜面を有しており、前記ペダルクランクの回転軸を支えるベアリングの外面が当該第１の溝の両側の斜面と接するものであることにより、プーリーに架け渡されているベルトの張力によってベアリングに加えられる力の方向に合わせて第１の溝の両側の斜面が等角度で形成されることになるため、当該斜面に均等に力が加わり、ベアリングをバランス良く保持することができる。
（１１）本発明の運動器具において、前記第１の溝が、鉛直方向に向けて谷状に形成された斜面を有し、ベアリングの外面が当該第１の溝の両側の斜面と接する場合には、ペダルクランクやフライホイール及び変速機構などの荷重が第１の溝の両側の斜面に均等に加わり、ベアリングをバランス良く保持することができる。
さらに、前記第２のプレートが、谷状に形成された斜面を有する第２の溝を有しており、前記ベアリングの外面が当該第２の溝の両側の斜面とも接するものであることにより、ベアリングをバランス良く強固に保持することができる。
【図面の簡単な説明】
【００１９】
【図１】図１は本発明を具体化した一実施形態の運動器具を示す図であって、（Ａ）は全体を示す斜視図、（Ｂ）は運動器具の要部を示す側面図、（Ｃ）は運動器具の要部を示す部分断面図、（Ｄ）はベアリング付近の部分拡大側面図である。
【図２】図２は本発明を具体化した運動器具のプレート及びベアリングなどを示す図であって、（Ａ）は運動器具の正面側から見たプレートの側面図、（Ｂ）は斜視図、（Ｃ）はプレートの正面図、（Ｄ）は運動器具の背面側から見たプレートの側面図、（Ｅ）及び（Ｆ）は他の実施形態の運動器具の正面側から見たプレートの側面図である。
【図３】図３は本発明の運動器具のプレート及びベアリングを示す図であって、（Ａ）は第１のプレートの正面図、（Ｂ）は第２のプレートの正面図、（Ｃ）は他の実施形態の第２のプレートの正面図、（Ｄ）及び（Ｅ）はプレート及びベアリングの正面図、（Ｆ）は他の実施形態の第２のプレートの正面図、（Ｇ）は他の実施形態のプレートとベアリングの正面図である。
【図４】図４（Ａ）〜（Ｄ）は本発明の運動器具のプレート及びベアリングなどを示す複数の実施形態を示す部分断面図である。
【図５】図５は本発明を具体化した運動器具のプレート及びベアリングを示す図であって、（Ａ）は第１〜第３のプレートによってベアリングケースを固定している状態を示す正面図、（Ｂ）は第２のプレートを示す正面図、（Ｃ）は第３のプレートを示す正面図である。
【図６】図６は従来の運動器具の要部を示す図であって、（Ａ）は側面図、（Ｂ）〜（Ｄ）は斜視図である。
【発明を実施するための形態】
【００２０】
本発明は、「フライホイールと、当該フライホイールを回転駆動するためのペダル及びペダルクランクと、ペダルクランクの回転軸を支えるベアリングと、サドルと、それらを支持する支持構造とを備えた運動器具であって、前記ベアリングの支持構造が、立設された第１のプレートと、当該第１のプレートに横方向から切欠形成された第１の溝と、前記第１のプレートに固定される第２のプレートと、を含むものであり、
前記第１の溝に挿入されたベアリングの円周状の外面を前記第１のプレートと前記第２のプレートとによって挟み込み、当該各プレートと前記ベアリングの外面とがそれぞれ１点又は２点にて接することで、当該ベアリングの外面を少なくとも３点以上にて固定し、当該ベアリングの回転中心線が固定される方向にゆとりを持たせるようにした運動器具」であって、以下において説明する実施の形態などにより好適に具体化することができる。
【００２１】
以下、本発明の運動器具の一実施形態について説明する。
図１（Ａ）は、本発明の一実施形態の運動器具Ｔを示しており、この運動器具Ｔはフィットネスバイクの形態を有するものとして具体化されている。
そして、前記運動器具Ｔは、全体の骨格を為して各構成部品を支持する支持構造を構成する金属製のフレーム１と、サドル２、ハンドル３、２個のペダル４、ペダルクランク５、フライホイール６、変速機構７などの構成部品を備えている。
前記フレーム１は、Ｘ字状に交差して中央部付近にて互いに回動可能に連結されたサドルフレーム１ａ及びハンドルフレーム１ｂと、２本の接地側フレーム１ｃを含む。
従って、本実施形態の運動器具Ｔは、サドルフレーム１ａ及びハンドルフレーム１ｂを相対回動させることで、コンパクトな形態に折りたたむことができるものである。
【００２２】
前記サドルフレーム１ａの上端部には、前記サドル２が固定され、下端部には、本発明を構成する第１のプレートＰ１が２枚略平行に並べた状態で溶接固定されており、さらにその２枚の第１のプレートＰ１の下端部には、床面又は地面などの載置面と接することが予定されている前記接地側フレーム１ｃの１本が溶接固定されている。
即ち、前記第１のプレートＰ１は、２枚一組にて、その上端部がサドルフレーム１ａの下端部に固定され、下端部が接地側フレーム１ｃに固定されることで、約６０度程度傾いた状態で立設されている。そして、前記金属製のフレーム１の一部を構成するものとなっている。
なお、第１のプレートＰ１とサドルフレーム１ａ又は接地側フレーム１ｃとの固定は、溶接ではなくボルト締めなどの他の固定方法を用いても良いが、溶接は簡便であり強度及び耐久性にも優れている。しかしながら、溶接による固定においては、精密な寸法精度及び位置精度を得ることが難しく、第１のプレートＰ１の立設状態は完全に平行で上下左右の位置が揃った状態であるとは限らない。
【００２３】
前記２枚の第１のプレートＰ１は、前記２個のペダル４が両端部に取り付けられたペダルクランク５の水平方向を向いた部分、即ち回転軸５ａ、の両端部付近を支えるベアリング８を支持するために、当該第１のプレートＰ１に横方向から切欠形成された第１の溝Ｋ１を有している。
この第１の溝Ｋ１は、第１のプレートＰ１の辺縁部と直交する方向にて形成された後、下方へ折れ曲がるような形態にて形成されており、当該第１の溝Ｋ１を構成する各辺は、他の辺と交わる部分（コーナー部）を除き直線状に形成されている。
なお、本実施形態の運動器具Ｔにおいて、前記変速機構７は、前記フライホイール６の回転数を高めて駆動するためのものであり、複数個のプーリー７ａ，７ｄなどと、それらに掛け渡された複数本のベルト７ｂとから構成されている。
そして、前記ペダルクランク５は、その回転軸５ａが、前記変速機構７を構成する上側に配置されたプーリー７ａの回転軸を兼ねている。
さらに、前記第１のプレートＰ１は、前記ペダルクランク５の回転軸５ａを支えるベアリング８とは異なる他のベアリング７ｃを支持することで、前記変速機構７を構成する下側に配置された他のプーリー７ｄを回転可能に保持している。
【００２４】
前記第１の溝Ｋ１は、前記ベアリング８の外径よりも幅が広く形成されており、ベアリング８の外周面を嵌め込むことができる。
ここで、前記ベアリング８は、金属製のベアリング本体を保護する合成樹脂製のベアリングケース９を備えたものを用いるとよい。
従って、前記第１の溝Ｋ１は、前記ベアリングケース９の外径よりも幅が広く形成されており、ベアリングケース９の外周面を嵌め込むことができるものとするとよい。
【００２５】
一実施形態の運動器具Ｔにおけるベアリングケース９としては、図１（Ｃ）に示すように、円錐台形状の断面を有しているものを好適に採用することができる。
このベアリングケース９は、図１（Ｃ）の実施形態においては、外側ほど（後述する第２のプレートＰ２側ほど）外径が大きくなる円錐台形状の断面を有している。
このベアリングケース９（ベアリング８）の配置としては、図２（Ｆ）に示すように、内側ほど（第２のプレートＰ２側ほど）外径が大きくなる円錐台形状の断面を有しているようにしてもよい。
この場合、ベアリングケースの外面の何れの部分をプレートによって挟み込む場合であっても、ベアリングケース９（ベアリング８）を確実かつ強固に保持することができる。
従って、２枚の第１のプレートＰ１の間隔に多少の狂いが存在していても、ベアリングケース９の外面を確実かつ強固に固定することが可能となる。
なお、前記ベアリングケース９の外径の最大部分は、前記第１の溝Ｋ１及び第２の溝Ｋ２の幅よりも大きいものとすることで、当該各溝Ｋ１，Ｋ２から外れることを防ぐことができ、フライホイール６、変速機構７及びベアリング８などの組み付け作業の安全と効率化を図ることができる。
【００２６】
一実施形態の運動器具Ｔにおいて、前記第１の溝Ｋ１は、下方に向けて谷状に（略Ｖ字状に）形成された斜面を有しており、前記ベアリングケース９（ベアリングケースが無い場合は、ベアリング８）の中心部より下側部分の外面が当該第１の溝Ｋ１の両側の斜面と接点Ｓ１において接するようになっている。
ここで、前記第１のプレートＰ１は、既に説明したとおり、前記ペダルクランク５の回転軸５ａを支えるベアリング８とは異なる他のベアリング７ｃを支持することで前記変速機構７を構成する他のプーリー７ｄを回転可能に保持しており、前記第１の溝Ｋ１が、当該他のベアリング７ｃが固定されている方向（図１に示す線Ｌ１に沿った方向）に向けて谷状に形成された斜面を有しているものとしている。
【００２７】
なお、前記第１の溝Ｋ１は、鉛直方向（図３に示す線Ｌ２に沿った方向）に向けて谷状に形成された斜面を有しているものであってもよい。
即ち、前記第１の溝Ｋ１に形成される斜面の向きは、第１のプレートＰ１が立設されている角度（重力の方向）又は変速機構７によってペダルクランク５の回転軸５ａに加えられる力の方向に応じて適宜選択して変更することができる。
【００２８】
前記第１のプレートＰ１には、第２のプレートＰ２がネジ１０によって固定できるようになっている。
この第２のプレートＰ２は、前記第１のプレートＰ１に形成された第１の溝Ｋ１と同様に、谷状に形成された斜面を有する第２の溝Ｋ２を有しており、前記ベアリングケース９（ベアリングケースが無い場合は、ベアリング８）の中心部より上側部分の外面が当該第２の溝Ｋ２の両側の斜面とも接点Ｓ２において接するものであることにより、簡単かつ確実に各プレートＰ１，Ｐ２とベアリングケース９の外面とがそれぞれ２点にて接することで、当該ベアリングケース９の外面を４点（接点Ｓ１＋接点Ｓ２）にて固定し、当該ベアリング８の回転中心線が固定される方向にゆとりを持たせることができる、ベアリングの支持構造を提供できるようになっている。
【００２９】
ここで、前記第１及び第２のプレートＰ１，Ｐ２が、前記第１のプレートＰ１に対して前記第２のプレートＰ２を固定するためのネジ（ボルト）１０を挿通するための透孔（又は雌ネジ穴）１１を有しており、前記第１のプレートＰ１に形成された透孔１１の大きさが、前記第２のプレートＰ２に形成された透孔１１の大きさとは異なるものであることにより、プレートＰ１，Ｐ２を固定する際におけるネジ１０の位置を調整することができ、製造上の寸法誤差を解消してベアリングケース９（ベアリングケースが無い場合は、ベアリング８）の外面を確実かつ強固に固定することが可能となる。
具体的には、図３（Ａ）、（Ｄ）、（Ｅ）に示す第１のプレートＰ１の透孔（又は雌ネジ穴）１１は小さく、図３（Ｂ）に示す第２のプレートＰ２の透孔１１は大きな円形であり、図３（Ｃ）に示す第２のプレートＰ２の透孔１１は長穴であり、図３（Ｆ）に示す第２のプレートＰ２の透孔１１は小さく、図３（Ｇ）に示す第１のプレートＰ１の透孔１１は長穴である。
なお、透孔１１が雌ネジ穴ではない場合には、図３（Ｇ）に示すように、前記ネジ１０と螺合するナット１２を長穴に入れるなどの方法にて適宜使用するとよい。
【００３０】
さらに、本発明の運動器具Ｔにおいて、前記ベアリングケース９の外面は、図２（Ａ）〜（Ｅ）及び図４に示すように、前記一方のプレートＰ１側が円筒状であり、他方の前記プレートＰ２側ほど外径が大きくなるフランジ部９ａを有するものを採用してもよい。
この場合、ベアリングケース９の外径が大きくなるフランジ部９ａを第１又は第２のプレートＰ１，Ｐ２によって挟み込むことにより、ベアリングケース９（ベアリング８）を確実かつ強固に保持することができる。
なお、前記フランジ部９ａの外径の最大部分は、前記第１の溝Ｋ１の幅よりも大きいものとすることで、当該第１の溝Ｋ１から外れることを防ぐことができ、フライホイール６、変速機構７及びベアリング８などの組み付け作業の安全と効率化を図ることができる。
【００３１】
本発明の運動器具Ｔにおいて、前記ベアリングケース９の外面は、図２（Ｅ）に示すように第１のプレートＰ１の内側に第２のプレートＰ２を配置する場合には、前記一方のプレートＰ１側が円筒状であり、他方の前記プレートＰ２側ほど外径が大きくなるフランジ部９ａを有しているものを採用してもよい。  
【００３２】
本発明の運動器具Ｔにおいて、図４（Ｂ）〜（Ｄ）に示すように第１のプレートＰ１の間隔が狭く、第２のプレートＰ２によってベアリングケース９のフランジ部９ａを挟むことができない場合には、以下の手段（構成）を採用することができる。
・図４（Ｂ）に示すように、第２のプレートＰ２として肉厚の大きなものを使用する。
・図４（Ｃ）に示すように、第１のプレートＰ１と第２のプレートＰ２の間にワッシャーＷを挟む。
・図４（Ｄ）及び図５（Ａ）〜（Ｃ）に示すように、第１のプレートＰ１と第２のプレートＰ２に加え、肉厚の大きな第３のプレートＰ３を使用し、その第３のプレートＰ３を第２のプレートＰ２の第２の溝Ｋ２に嵌め込むようにして固定する。
なお、前記第３のプレートＰ３には、第１のプレートＰ１と同様に透孔１１及び下方に向けて谷状に（略Ｖ字状に）形成された斜面を形成しておくことで、第１のプレートＰ１及び第２のプレートＰ２によるベアリグケース９の支持を補助することができる。
このような場合などにおいては、第１のプレートＰ１又は第２のプレートＰ２によるベアリグケース９（ベアリングケースが無い場合は、ベアリング８）との接点Ｓ１又はＳ２が１箇所となることがある。
上記手段（構成）を採用することで、ベアリングケース９のフランジ部９ａを挟み込んでベアリングケース９（ベアリング８）の固定状態を強固なものとすることができる。
【００３３】
本発明の運動器具Ｔにおいて、前記ベアリングケース９又はベアリング８の外面は、図３（Ｇ）に示すように全体の外径が等しい円筒状であるものを採用してもよい。
また、ベアリングケースの両端が、ベアリングケース外側ほど大きくなるフランジ部を有するものを採用してもよい。その場合、生産時、取り付ける向きを気にする必要が無く、組み立て間違いが無くなり、生産効率が向上する。
本発明の運動器具は、上記実施形態に限定されるものではなく、本発明の趣旨を逸脱しない範囲で、各プレートＰ１，Ｐ２の形状や大きさなどを変更したり、各溝Ｋ１，Ｋ２の幅や形成されている方向を変更するなど、各部の構成を適宜変更して実施してもよい。
例えば、上記実施形態の運動器具Ｔにおいては、フライホイール６に負荷を加えてフライホイール６を減速するために磁力を有する永久磁石１３を用いているが、ベルトなどをフライホイールに接触させて減速するものを用いてもよい。
また、ハンドル３を省略した運動器具として具体化して実施してもよい。
さらに、図１（Ａ）に示す運動器具Ｔにおいては、プレートＰ１，Ｐ２、フライホイール６、変速機構７などを覆うカバー１４を装着して静音、ほこりの侵入防止及び安全などを図っているが、カバー１４の内面又は外面に防音材又は制振材を貼り付け、塗布又は吹き付けるなどの処理を施すことで、静音性を高めるようにしてもよい。
【００３４】
本発明の運動器具Ｔは、上記の各実施形態などに示す構成を採用することで、本発明の作用効果を発揮することができ、
（ア）２個のベアリング８（９）の回転中心線を正確に一致させる手段、及び、ベアリング８の固定を確実かつ強固に行う手段を備えた運動器具を提供すること、
（イ）立設された２枚のプレートＰ１の間隔に誤差がある場合であっても、確実かつ強固にベアリング８を固定することができ、静かで安定した動作を得られる運動器具を提供すること、及び、
（ウ）ベアリング８、ペダルクランク５及び変速機構７などをそれらの支持構造であるプレートＰ１に組み込み固定する作業をスムーズに行うことができる運動器具を提供することができるものである。
【産業上の利用可能性】
【００３５】
本発明は、ペダルを漕ぐ運動を介して運動能力を高めたり、健康な体作りに資するための運動器具として、産業上好適に利用可能である。
【符号の説明】
【００３６】
１    フレーム
１ａ  サドルフレーム
１ｂ  ハンドルフレーム
１ｃ  接地側フレーム
２    サドル
３    ハンドル
４    ペダル
５    ペダルクランク
５ａ  回転軸
６    フライホイール
７    変速機構
７ａ  プーリー
７ｂ  ベルト
７ｃ  他のベアリング
７ｄ  他のプーリー
８    ベアリング
９    ベアリングケース
９ａ  フランジ部
１０    ネジ（ボルト）
１１    透孔（又は雌ネジ穴）
１２    ナット
１３    永久磁石
１４    カバー
６０    フライホイール（従来）
８０    ベアリング（従来）
ｋ    溝（従来）
Ｋ１    第１の溝
Ｋ２    第２の溝
Ｌ１    線（回転軸５ａが変速機構７によって引っ張られている方向）
Ｌ２    線（鉛直方向）
ｐ    プレート（従来）
ｐ’  他のプレート（従来）
Ｐ１    第１のプレート（サイドプレート）
Ｐ２    第２のプレート（ホールドプレート）
Ｐ３    第３のプレート（補助プレート）
Ｓ１    接点
Ｓ２    接点
Ｔ    運動器具
Ｗ  ワッシャー
【図１】
2019187943.tif 000003
【図２】
2019187943.tif 000004
【図３】
2019187943.tif 000005
【図４】
2019187943.tif 000006
【図５】
2019187943.tif 000007
【図６】
2019187943.tif 000008